(57)【要約】  複数の文書を統合して表示する画面を提供する。  ＸＭＬデータ取得部７２は、ユーザデータベース７３を参照して、ユーザが登録したコンテンツのデータをウェブサーバ２５から取得する。ＨＴＭＬデータ変換部７６は、ＸＭＬデータをＨＴＭＬデータに変換する。モジュール生成部７５は、ユーザがＸＭＬデータを加工したり編集したりすることを可能とするために、ＸＭＬデータに対する処理の要求を受け付けるためのモジュールを生成する。送信部７４は、変換されたＨＴＭＬデータに、生成されたモジュールを付加してウェブページを生成し、ユーザ端末２６へ送信する。処理要求受付部７７は、モジュールを介したＸＭＬデータに対する処理の要求をユーザ端末２６から受け付ける。処理要求変換部７８は、受け付けたＸＭＬデータに対する処理の要求を、文書処理装置２０が実行可能な命令に変換する。
2007132568.tif 000002
【特許請求の範囲】
【請求項１】
ＸＭＬデータを取得するＸＭＬデータ取得部と、
ＸＭＬデータをＨＴＭＬデータに変換するＨＴＭＬデータ変換部と、
変換されたＨＴＭＬデータに、前記ＸＭＬデータに対する処理の要求を前記ＨＴＭＬデータに対する処理の要求として受け付けるためのモジュールを付加して送信する送信部と、
前記モジュールを介した前記ＸＭＬデータに対する処理の要求を受け付けて、前記ＸＭＬデータを処理する処理部と、
を備えることを特徴とするデータ処理サーバ。
【請求項２】
前記モジュールを介した前記ＸＭＬデータに対する処理の要求を、前記処理部が実行可能な命令に変換する処理要求変換部を更に備えることを特徴とする請求項１に記載のデータ処理サーバ。
【請求項３】
前記モジュールを介して前記ＸＭＬデータに対する処理を要求されたとき、前記ＨＴＭＬデータ変換部は、前記処理部により処理された前記ＸＭＬデータをＨＴＭＬデータに変換し、前記送信部は、前記ＸＭＬデータに対する処理を要求した相手に、変換されたＨＴＭＬデータを送信することを特徴とする請求項１又は２に記載のデータ処理サーバ。
【請求項４】
前記ＨＴＭＬデータ変換部は、ＸＭＬのタグセットごとに、ＸＭＬデータをＨＴＭＬデータに変換する規則を保持し、前記規則にしたがって、前記ＸＭＬデータ取得部が取得したＸＭＬデータをＨＴＭＬデータに変換することを特徴とする請求項１から３のいずれかに記載のデータ処理サーバ。
【請求項５】
前記ＸＭＬデータに応じて、前記モジュールを生成するモジュール生成部を更に備えることを特徴とする請求項１から４のいずれかに記載のデータ処理サーバ。
【請求項６】
前記ＨＴＭＬデータは、ユーザ端末のウェブブラウザにより表示されるウェブページを記述したデータであり、
前記モジュールは、前記ウェブページのコンテンツとして表示されるＸＭＬデータの追加要求を受け付け、
前記ＸＭＬデータ取得部は、追加を要求されたＸＭＬデータを取得し、
前記ＨＴＭＬデータ変換部は、追加で取得されたＸＭＬデータをＨＴＭＬデータに変換し、
前記モジュール生成部は、追加で取得されたＸＭＬデータに対する処理の要求を受け付けるためのモジュールを生成し、
前記送信部は、変換されたＨＴＭＬデータを元のＨＴＭＬデータに追加するとともに、生成されたモジュールを付加して前記ユーザ端末に送信することを特徴とする請求項５に記載のデータ処理サーバ。
【請求項７】
ユーザごとに、前記ウェブページに表示すべきＸＭＬデータ又はＸＭＬデータのアドレスを格納するユーザデータベースを更に備えることを特徴とする請求項６に記載のデータ処理サーバ。
【請求項８】
前記ユーザ端末から、前記ＸＭＬデータをローカルで編集する旨の要求を受け付けると、前記送信部は、前記処理部を前記ユーザ端末に送信することを特徴とする請求項６又は７に記載のデータ処理サーバ。
【請求項９】
前記処理部は、ＸＭＬの特定のタグセットで記述されたデータを処理するタグセット処理部と、
前記ＸＭＬデータを前記タグセット処理部により処理可能なタグセットにマッピングし、マッピングされた構成要素間の対応を保持するマッピング部と、を含み、
該データ処理サーバは、前記ユーザ端末に送信するウェブページに含まれるＸＭＬデータを、前記タグセット処理部により処理可能なタグセットにマッピングする規則を記述した定義データを生成する定義データ生成部を更に備え、
前記送信部は、前記処理部とともに、前記定義データを前記ユーザ端末に送信することを特徴とする請求項８に記載のデータ処理サーバ。
【請求項１０】
ＸＭＬデータを取得するステップと、
ＸＭＬデータをＨＴＭＬデータに変換するステップと、
変換されたＨＴＭＬデータに、前記ＸＭＬデータに対する処理の要求を前記ＨＴＭＬデータに対する処理の要求として受け付けるためのモジュールを付加して送信するステップと、
前記モジュールを介した前記ＸＭＬデータに対する処理の要求を受け付けて、前記ＸＭＬデータを処理するステップと、
を含むことを特徴とするデータ処理方法。
【請求項１１】
コンピュータに、
ＸＭＬデータを取得する機能と、
ＸＭＬデータをＨＴＭＬデータに変換する機能と、
変換されたＨＴＭＬデータに、前記ＸＭＬデータに対する処理の要求を前記ＨＴＭＬデータに対する処理の要求として受け付けるためのモジュールを付加して送信する機能と、
前記モジュールを介した前記ＸＭＬデータに対する処理の要求を受け付けて、前記ＸＭＬデータを処理する機能と、
を実現させることを特徴とするプログラム。
【発明の詳細な説明】
【技術分野】
【０００１】
本発明は、データ処理技術に関し、特に、マークアップ言語により記述されたデータを処理するデータ処理サーバ及び方法に関する。
【背景技術】
【０００２】
ＸＭＬは、ネットワークなどを介して他者とデータを共有するのに適した形式として注目されており、ＸＭＬ文書を作成、表示、編集するためのアプリケーションが開発されている（たとえば、特許文献１参照）。ＸＭＬ文書は、文書型定義などにより定義されたボキャブラリ（タグセット）に基づいて作成されている。【０００３】
インターネットの爆発的な普及に伴い、膨大な量のウェブページが提供されているが、現状では、ウェブページのほとんどは、ＨＴＭＬ（HyperText Markup Languate）により記述されている。ユーザは、ＨＴＭＬファイルを表示することが可能なウェブブラウザにより、ウェブページを閲覧することができる。
【特許文献１】特開２００１−２９０８０４号公報
【発明の開示】
【発明が解決しようとする課題】
【０００４】
従来、ウェブブラウザを使ったウェブアプリケーションでは、データをサーバに通知して処理結果を得るにはページ全体をリロードしなければならなかった。しかし、最近になって、ウェブブラウザに実装されているＪａｖａ（登録商標）ＳｃｒｉｐｔのＨＴＴＰ通信機能を使って、ウェブページのリロードを伴わずに、サーバとデータのやり取りを行なって処理を進めていく対話型ウェブアプリケーションを実現することが可能なＡｊａｘ技術が注目されている。Ａｊａｘでは、ユーザの操作や画面描画などと並行してサーバと非同期に通信を行なうことで、サーバの存在を感じさせないシームレスなウェブアプリケーションを実現することができる。【０００５】
本発明者は、Ａｊａｘの技術を更に進め、より利便性の高いサービスを提供する技術を想到するに至った。本発明はこうした状況に鑑みてなされたものであり、その目的は、ネットワークを介して提供されるＸＭＬデータを適切に処理することが可能な技術を提供することにある。
【課題を解決するための手段】
【０００６】
本発明のある態様は、データ処理サーバに関する。ＸＭＬデータを取得するＸＭＬデータ取得部と、ＸＭＬデータをＨＴＭＬデータに変換するＨＴＭＬデータ変換部と、変換されたＨＴＭＬデータに、前記ＸＭＬデータに対する処理の要求を前記ＨＴＭＬデータに対する処理の要求として受け付けるためのモジュールを付加して送信する送信部と、前記モジュールを介した前記ＸＭＬデータに対する処理の要求を受け付けて、前記ＸＭＬデータを処理する処理部と、を備えることを特徴とする。【０００７】
データ処理サーバは、前記モジュールを介した前記ＸＭＬデータに対する処理の要求を、前記処理部が実行可能な命令に変換する処理要求変換部を更に備えてもよい。前記モジュールを介して前記ＸＭＬデータに対する処理を要求されたとき、前記ＨＴＭＬ変換部は、前記処理部により処理された前記ＸＭＬデータをＨＴＭＬデータに変換し、前記送信部は、前記ＸＭＬデータに対する処理を要求した相手に、変換されたＨＴＭＬデータを送信してもよい。前記ＨＴＭＬデータ変換部は、ＸＭＬのタグセットごとに、ＸＭＬデータをＨＴＭＬデータに変換する規則を保持し、前記規則にしたがって、前記ＸＭＬデータ取得部が取得したＸＭＬデータをＨＴＭＬデータに変換してもよい。【０００８】
データ処理サーバは、前記ＸＭＬデータに応じて、前記モジュールを生成するモジュール生成部を更に備えてもよい。【０００９】
前記ＨＴＭＬデータは、ユーザ端末のウェブブラウザにより表示されるウェブページを記述したデータであってもよく、前記モジュールは、前記ウェブページのコンテンツとして表示されるＸＭＬデータの追加要求を受け付けてもよく、前記ＸＭＬデータ取得部は、追加を要求されたＸＭＬデータを取得してもよく、前記ＨＴＭＬデータ変換部は、追加で取得されたＸＭＬデータをＨＴＭＬデータに変換してもよく、前記モジュール生成部は、追加で取得されたＸＭＬデータに対する処理の要求を受け付けるためのモジュールを生成してもよく、前記送信部は、変換されたＨＴＭＬデータを元のＨＴＭＬデータに追加するとともに、生成されたモジュールを付加して前記ユーザ端末に送信してもよい。データ処理サーバは、ユーザごとに、前記ウェブページに表示すべきＸＭＬデータ又はＸＭＬデータのアドレスを格納するユーザデータベースを更に備えてもよい。【００１０】
前記ユーザ端末から、前記ＸＭＬデータをローカルで編集する旨の要求を受け付けると、前記送信部は、前記処理部を前記ユーザ端末に送信してもよい。【００１１】
前記処理部は、ＸＭＬの特定のタグセットで記述されたデータを処理するタグセット処理部と、前記ＸＭＬデータを前記タグセット処理部により処理可能なタグセットにマッピングし、マッピングされた構成要素間の対応を保持するマッピング部と、を含んでもよくみ、該データ処理サーバは、前記ユーザ端末に送信するウェブページに含まれるＸＭＬデータを、前記タグセット処理部により処理可能なタグセットにマッピングする規則を記述した定義データを生成する定義データ生成部を更に備えてもよく、前記送信部は、前記処理部とともに、前記定義データを前記ユーザ端末に送信してもよい。【００１２】
本発明の別の態様は、データ処理方法に関する。このデータ処理方法は、ＸＭＬデータを取得するステップと、ＸＭＬデータをＨＴＭＬデータに変換するステップと、変換されたＨＴＭＬデータに、前記ＸＭＬデータに対する処理の要求を前記ＨＴＭＬデータに対する処理の要求として受け付けるためのモジュールを付加して送信するステップと、前記モジュールを介した前記ＸＭＬデータに対する処理の要求を受け付けて、前記ＸＭＬデータを処理するステップと、を含むことを特徴とする。【００１３】
なお、以上の構成要素の任意の組合せ、本発明の表現を方法、装置、システムなどの間で変換したものもまた、本発明の態様として有効である。
【発明の効果】
【００１４】
本発明によれば、ネットワークを介して提供されるＸＭＬデータを適切に処理する技術を提供することができる。
【図面の簡単な説明】
【００１５】
【図１】前提技術に係る文書処理装置の構成を示す図である。
【図２】文書処理装置により編集されるＸＭＬ文書の例を示す図である。
【図３】図２に示したＸＭＬ文書をＨＴＭＬで記述された表にマッピングする例を示す図である。
【図４（ａ）】図２に示したＸＭＬ文書を図３に示した表にマッピングするための定義ファイルの例を示す図である。
【図４（ｂ）】図２に示したＸＭＬ文書を図３に示した表にマッピングするための定義ファイルの例を示す図である。
【図５】図２に示したＸＭＬ文書を、図３に示した対応によりＨＴＭＬにマッピングして表示した画面の例を示す図である。
【図６】ユーザが定義ファイルを生成するために、定義ファイル生成部がユーザに提示するグラフィカルユーザインターフェースの例を示す図である。
【図７】定義ファイル生成部により生成された画面レイアウトの他の例を示す図である。
【図８】文書処理装置によるＸＭＬ文書の編集画面の一例を示す図である。
【図９】文書処理装置により編集されるＸＭＬ文書の他の例を示す図である。
【図１０】図９に示した文書を表示した画面の例を示す図である。
【図１１】実施の形態に係るデータ処理サーバの構成を示す図である。
【図１２】ユーザ端末のブラウザに表示される画面の例を示す図である。
【図１３】複数のコンテンツを含むウェブページを表示した画面の例を示す図である。
【図１４】ウェブページを編集した画面の例を示す図である。
【図１５】ウェブページの一部が更新された画面の例を示す図である。
【符号の説明】
【００１６】
２０  文書処理装置、２２  主制御ユニット、２４  編集ユニット、２５  ウェブサーバ、２６  ユーザ端末、３０  ＤＯＭユニット、３２  ＤＯＭ提供部、３４  ＤＯＭ生成部、３６  出力部、４０  ＣＳＳユニット、４２  ＣＳＳ解析部、４４  ＣＳＳ提供部、４６  レンダリング部、５０  ＨＴＭＬユニット、５２，６２  制御部、５４，６４  編集部、５６，６６  表示部、６０  ＳＶＧユニット、７１  ユーザ認証部、７２  ＸＭＬデータ取得部、７３  ユーザデータベース、７４  送信部、７５  モジュール生成部、７６  ＨＴＭＬデータ変換部、７７  処理要求受付部、７８  処理要求変換部、７９  定義データ生成部、８０  ＶＣユニット、８２  マッピング部、８４  定義ファイル取得部、８６  定義ファイル生成部、１００  データ処理サーバ。
【発明を実施するための最良の形態】
【００１７】
まず、前提技術として、任意のタグセットで記述されたＸＭＬ文書を処理する技術について説明する。つづいて、本発明の実施の形態として、前提技術の文書処理装置をミドル層のアプリケーションサーバとして利用し、複数のウェブサービスを統合したウェブページを提供する技術について説明する。【００１８】
（前提技術）
図１は、前提技術に係る文書処理装置２０の構成を示す。文書処理装置２０は、文書内のデータが階層構造を有する複数の構成要素に分類された構造化文書を処理するが、本前提技術では構造化文書の一例としてＸＭＬ文書を処理する例について説明する。文書処理装置２０は、主制御ユニット２２、編集ユニット２４、ＤＯＭユニット３０、ＣＳＳユニット４０、ＨＴＭＬユニット５０、ＳＶＧユニット６０、及び変換部の一例であるＶＣユニット８０を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。【００１９】
主制御ユニット２２は、プラグインのロードや、コマンド実行のフレームワークを提供する。編集ユニット２４は、ＸＭＬ文書を編集するためのフレームワークを提供する。文書処理装置２０における文書の表示及び編集機能は、プラグインにより実現されており、文書の種別に応じて必要なプラグインが主制御ユニット２２又は編集ユニット２４によりロードされる。主制御ユニット２２又は編集ユニット２４は、処理対象となるＸＭＬ文書の名前空間を参照して、ＸＭＬ文書がいずれのボキャブラリにより記述されているかを判別し、そのボキャブラリに対応した表示又は編集用のプラグインをロードして表示や編集を実行させる。例えば、文書処理装置２０には、ＨＴＭＬ文書の表示及び編集を行うＨＴＭＬユニット５０、ＳＶＧ文書の表示及び編集を行うＳＶＧユニット６０など、ボキャブラリ（タグセット）ごとに表示系及び編集系がプラグインとして実装されており、ＨＴＭＬ文書を編集するときはＨＴＭＬユニット５０が、ＳＶＧ文書を編集するときはＳＶＧユニット６０が、それぞれロードされる。後述するように、ＨＴＭＬとＳＶＧの双方の構成要素を含む複合文書が処理対象となっている場合は、ＨＴＭＬユニット５０とＳＶＧユニット６０の双方がロードされる。【００２０】
このような構成によれば、ユーザは、必要な機能のみを選択してインストールし、後から適宜機能を追加又は削除することができるので、プログラムを格納するハードディスクなどの記録媒体の記憶領域を有効に活用することができ、また、プログラム実行時にも、メモリの浪費を防ぐことができる。また、機能拡張性に優れており、開発主体としても、プラグインの形で新たなボキャブラリに対応することが可能なので開発が容易となり、ユーザとしても、プラグインの追加により容易かつ低コストにて機能を追加することができる。【００２１】
編集ユニット２４は、ユーザインターフェースを介してユーザから編集指示のイベントを受け付け、そのイベントを適切なプラグインなどに通知するともに、イベントの再実行（リドゥ）又は実行の取消（アンドゥ）などの処理を制御する。【００２２】
ＤＯＭユニット３０は、ＤＯＭ提供部３２、ＤＯＭ生成部３４、及び出力部３６を含み、ＸＭＬ文書をデータとして扱うときのアクセス方法を提供するために定められた文書オブジェクトモデル（Document Object Model：ＤＯＭ）に準拠した機能を実現する。ＤＯＭ提供部３２は、編集ユニット２４に定義されているインタフェースを満たすＤＯＭの実装である。ＤＯＭ生成部３４は、ＸＭＬ文書からＤＯＭツリーを生成する。後述するように、処理対象となるＸＭＬ文書が、ＶＣユニット８０により他のボキャブラリにマッピングされる場合は、マッピング元のＸＭＬ文書に対応するソースツリーと、マッピング先のＸＭＬ文書に対応するデスティネーションツリーが生成される。出力部３６は、例えば編集終了時に、ＤＯＭツリーをＸＭＬ文書として出力する。【００２３】
ＣＳＳユニット４０は、ＣＳＳ解析部４２、ＣＳＳ提供部４４、及びレンダリング部４６を含み、ＣＳＳに準拠した表示機能を提供する。ＣＳＳ解析部４２は、ＣＳＳの構文を解析するパーサの機能を有する。ＣＳＳ提供部４４は、ＣＳＳオブジェクトの実装であり、ＤＯＭツリーに対してＣＳＳのカスケード処理を行う。レンダリング部４６は、ＣＳＳのレンダリングエンジンであり、ＣＳＳを用いてレイアウトされるＨＴＭＬなどのボキャブラリで記述された文書の表示に用いられる。【００２４】
ＨＴＭＬユニット５０は、ＨＴＭＬにより記述された文書を表示又は編集する。ＳＶＧユニット６０は、ＳＶＧにより記述された文書を表示又は編集する。これらの表示／編集系は、プラグインの形で実現されており、それぞれ、文書を表示する表示部（Canvas）５６、６６、編集指示を含むイベントを送受信する制御部（Editlet）５２、６２、編集コマンドを受けてＤＯＭに対して編集を行う編集部（Zone）５４、６４を備える。制御部５２又は６２が外部からＤＯＭツリーの編集コマンドを受け付けると、編集部５４又は６４がＤＯＭツリーを変更し、表示部５６又は６６が表示を更新する。これらは、ＭＶＣ（Model-View-Controller）と呼ばれるフレームワークに類似する構成をとっており、概ね、表示部５６及び６６が「View」に、制御部５２及び６２が「Controller」に、編集部５４及び６４とＤＯＭの実体が「Model」に、それぞれ対応する。本前提技術の文書処理装置２０では、ＸＭＬ文書をツリー表示形式で編集するだけでなく、それぞれのボキャブラリに応じた編集を可能とする。例えば、ＨＴＭＬユニット５０は、ＨＴＭＬ文書をワードプロセッサに類似した方式で編集するためのユーザインターフェースを提供し、ＳＶＧユニット６０は、ＳＶＧ文書を画像描画ツールに類似した方式で編集するためのユーザインターフェースを提供する。【００２５】
ＶＣユニット８０は、マッピング部８２、定義ファイル取得部８４、及び定義ファイル生成部８６を含み、あるボキャブラリにより記述された文書を、他のボキャブラリにマッピングすることにより、マッピング先のボキャブラリに対応した表示編集用プラグインで文書を表示又は編集するためのフレームワークを提供する。本前提技術では、この機能を、ボキャブラリコネクション（Vocabulary Connection：ＶＣ）と呼ぶ。定義ファイル取得部８４は、マッピングの定義を記述したスクリプトファイルを取得する。この定義ファイルは、ノードごとに、ノード間の対応（コネクション）を記述する。このとき、各ノードの要素値や属性値の編集の可否を指定してもよい。また、ノードの要素値や属性値を用いた演算式を記述してもよい。これらの機能については、後で詳述する。マッピング部８２は、定義ファイル取得部８４が取得したスクリプトファイルを参照して、ＤＯＭ生成部３４にデスティネーションツリーを生成させ、ソースツリーとデスティネーションツリーの対応関係を管理する。定義ファイル生成部８６は、ユーザが定義ファイルを生成するためのグラフィカルユーザインターフェースを提供する。【００２６】
ＶＣユニット８０は、ソースツリーとデスティネーションツリーの間のコネクションを監視し、表示を担当するプラグインにより提供されるユーザインタフェースを介してユーザから編集指示を受け付けると、まずソースツリーの該当するノードを変更する。ＤＯＭユニット３０が、ソースツリーが変更された旨のミューテーションイベントを発行すると、ＶＣユニット８０は、そのミューテーションイベントを受けて、ソースツリーの変更にデスティネーションツリーを同期させるべく、変更されたノードに対応するデスティネーションツリーのノードを変更する。デスティネーションツリーを表示／編集するプラグイン、例えばＨＴＭＬユニット５０は、デスティネーションツリーが変更された旨のミューテーションイベントを受けて、変更されたデスティネーションツリーを参照して表示を更新する。このような構成により、少数のユーザにより利用されるローカルなボキャブラリにより記述された文書であっても、他のメジャーなボキャブラリに変換することで、文書を表示することができるとともに、編集環境が提供される。【００２７】
文書処理装置２０により文書を表示又は編集する動作について説明する。文書処理装置２０が処理対象となる文書を読み込むと、ＤＯＭ生成部３４が、そのＸＭＬ文書からＤＯＭツリーを生成する。また、主制御ユニット２２又は編集ユニット２４は、名前空間を参照して文書を記述しているボキャブラリを判別する。そのボキャブラリに対応したプラグインが文書処理装置２０にインストールされている場合は、そのプラグインをロードして、文書を表示／編集させる。プラグインがインストールされていない場合は、マッピングの定義ファイルが存在するか否かを確認する。定義ファイルが存在する場合、定義ファイル取得部８４が定義ファイルを取得し、その定義に従って、デスティネーションツリーが生成され、マッピング先のボキャブラリに対応するプラグインにより文書が表示／編集される。複数のボキャブラリを含む複合文書である場合は、後述するように、それぞれのボキャブラリに対応したプラグインにより、文書の該当箇所がそれぞれ表示／編集される。定義ファイルが存在しない場合は、文書のソース又はツリー構造を表示し、その表示画面において編集が行われる。【００２８】
図２は、処理対象となるＸＭＬ文書の例を示す。このＸＭＬ文書は、生徒の成績データを管理するために用いられる。ＸＭＬ文書のトップノードである構成要素「成績」は、配下に、生徒ごとに設けられた構成要素「生徒」を複数有する。構成要素「生徒」は、属性値「名前」と、子要素「国語」、「数学」、「理科」、「社会」を有する。属性値「名前」は、生徒の名前を格納する。構成要素「国語」、「数学」、「理科」、「社会」は、それぞれ、国語、数学、理科、社会の成績を格納する。例えば、名前が「Ａ」である生徒の国語の成績は「９０」、数学の成績は「５０」、理科の成績は「７５」、社会の成績は「６０」である。以下、この文書で使用されているボキャブラリ（タグセット）を、「成績管理ボキャブラリ」と呼ぶ。【００２９】
本前提技術の文書処理装置２０は、成績管理ボキャブラリの表示／編集に対応したプラグインを有しないので、この文書をソース表示、ツリー表示以外の方法で表示するためには、前述したＶＣ機能が用いられる。すなわち、成績管理ボキャブラリを、プラグインが用意された別のボキャブラリ、例えば、ＨＴＭＬやＳＶＧなどにマッピングするための定義ファイルを用意する必要がある。ユーザ自身が定義ファイルを作成するためのユーザインターフェースについては後述することにして、ここでは、既に定義ファイルが用意されているとして説明を進める。【００３０】
図３は、図２に示したＸＭＬ文書をＨＴＭＬで記述された表にマッピングする例を示す。図３の例では、成績管理ボキャブラリの「生徒」ノードを、ＨＴＭＬにおける表（「TABLE」ノード）の行（「TR」ノード）に対応づけ、各行の第１列には属性値「名前」を、第２列には「国語」ノードの要素値を、第３列には「数学」ノードの要素値を、第４列には「理科」ノードの要素値を、第５列には「社会」ノードの要素値を、それぞれ対応付ける。これにより、図２に示したＸＭＬ文書を、ＨＴＭＬの表形式で表示することができる。また、これらの属性値及び要素値は、編集可能であることが指定されており、ユーザがＨＴＭＬによる表示画面上で、ＨＴＭＬユニット５０の編集機能により、これらの値を編集することができる。第６列には、国語、数学、理科、社会の成績の加重平均を算出する演算式が指定されており、生徒の成績の平均点が表示される。このように、定義ファイルに演算式を指定可能とすることにより、より柔軟な表示が可能となり、編集時のユーザの利便性を向上させることができる。なお、第６列は、編集不可であることが指定されており、平均点のみを個別に編集することができないようにしている。このように、マッピング定義において、編集の可否を指定可能とすることにより、ユーザの誤操作を防ぐことができる。【００３１】
図４（ａ）及び図４（ｂ）は、図２に示したＸＭＬ文書を図３に示した表にマッピングするための定義ファイルの例を示す。この定義ファイルは、定義ファイル用に定義されたスクリプト言語により記述される。定義ファイルには、コマンドの定義と、表示のテンプレートが記述されている。図４（ａ）（ｂ）の例では、コマンドとして、「生徒の追加」と「生徒の削除」が定義されており、それぞれ、ソースツリーにノード「生徒」を挿入する操作と、ソースツリーからノード「生徒」を削除する操作が対応付けられている。また、テンプレートとして、表の第１行に「名前」、「国語」などの見出しが表示され、第２行以降に、ノード「生徒」の内容が表示されることが記述されている。ノード「生徒」の内容を表示するテンプレート中、「text-of」と記述された項は「編集可能」であることを意味し、「value-of」と記述された項は「編集不可能」であることを意味する。また、ノード「生徒」の内容を表示する行のうち、第６列には、「(src:国語 + src:数学 + src:理科 + src:社会) div 4」という計算式が記述されており、生徒の成績の平均が表示されることを意味する。【００３２】
図５は、図２に示した成績管理ボキャブラリで記述されたＸＭＬ文書を、図３に示した対応によりＨＴＭＬにマッピングして表示した画面の例を示す。表９０の各行には、左から、各生徒の名前、国語の成績、数学の成績、理科の成績、社会の成績、及び平均点が表示されている。ユーザは、この画面上で、ＸＭＬ文書を編集することができる。たとえば、第２行第３列の値を「７０」に変更すると、このノードに対応するソースツリーの要素値、すなわち、生徒「Ｂ」の数学の成績が「７０」に変更される。このとき、ＶＣユニット８０は、デスティネーションツリーをソースツリーに追従させるべく、デスティネーションツリーの該当箇所を変更し、ＨＴＭＬユニット５０が、変更されたデスティネーションツリーに基づいて表示を更新する。したがって、画面上の表においても、生徒「Ｂ」の数学の成績が「７０」に変更され、更に、平均点が「５５」に変更される。【００３３】
図５に示した画面には、図４（ａ）（ｂ）に示した定義ファイルに定義されたように、「生徒の追加」及び「生徒の削除」のコマンドがメニューに表示される。ユーザがこれらのコマンドを選択すると、ソースツリーにおいて、ノード「生徒」が追加又は削除される。このように、本前提技術の文書処理装置２０では、階層構造の末端の構成要素の要素値を編集するのみではなく、階層構造を編集することも可能である。このようなツリー構造の編集機能は、コマンドの形でユーザに提供されてもよい。また、例えば、表の行を追加又は削除するコマンドが、ノード「生徒」を追加又は削除する操作に対応づけられてもよい。また、他のボキャブラリを埋め込むコマンドがユーザに提供されてもよい。この表を入力用テンプレートとして、穴埋め形式で新たな生徒の成績データを追加することもできる。以上のように、ＶＣ機能により、ＨＴＭＬユニット５０の表示／編集機能を利用しつつ、成績管理ボキャブラリで記述された文書を編集することが可能となる。【００３４】
図６は、ユーザが定義ファイルを生成するために、定義ファイル生成部８６がユーザに提示するグラフィカルユーザインタフェースの例を示す。画面左側の領域９１には、マッピング元のＸＭＬ文書がツリー表示されている。画面右側の領域９２には、マッピング先のＸＭＬ文書の画面レイアウトが示されている。この画面レイアウトは、ＨＴＭＬユニット５０により編集可能となっており、ユーザは、画面右側の領域９２において、文書を表示するための画面レイアウトを作成する。そして、例えば、マウスなどのポインティングデバイスにより、画面左側の領域９１に表示されたマッピング元のＸＭＬ文書のノードを、画面右側の領域９２に表示されたＨＴＭＬによる画面レイアウト中へドラッグ＆ドロップ操作を行うことにより、マッピング元のノードと、マッピング先のノードとのコネクションが指定される。例えば、要素「生徒」の子要素である「数学」を、ＨＴＭＬ画面の表９０の第１行第３列にドロップすると、「数学」ノードと、３列目の「ＴＤ」ノードの間にコネクションが張られる。各ノードには、編集の可否が指定できるようになっている。また、表示画面中には、演算式を埋め込むこともできる。画面の編集が終わると、定義ファイル生成部８６は、画面レイアウトとノード間のコネクションを記述した定義ファイルを生成する。【００３５】
ＸＨＴＭＬ、ＭａｔｈＭＬ、ＳＶＧなどの主要なボキャブラリに対応したビューワやエディタは既に開発されているが、図２に示した文書のようなオリジナルなボキャブラリで記述された文書に対応したビューワやエディタを開発するのは現実的でない。しかし、上記のように、他のボキャブラリにマッピングするための定義ファイルを作成すれば、ビューワやエディタを開発しなくても、ＶＣ機能を利用して、オリジナルなボキャブラリで記述された文書を表示・編集することができる。【００３６】
図７は、定義ファイル生成部８６により生成された画面レイアウトの他の例を示す。図７の例では、成績管理ボキャブラリで記述されたＸＭＬ文書を表示するための画面に、表９０と、円グラフ９３が作成されている。この円グラフ９３は、ＳＶＧにより記述される。後述するように、本前提技術の文書処理装置２０は、一つのＸＭＬ文書内に複数のボキャブラリを含む複合文書を処理することができるので、この例のように、ＨＴＭＬで記述された表９０と、ＳＶＧで記述された円グラフ９３とを、一つの画面上に表示することができる。【００３７】
図８は、文書処理装置２０によるＸＭＬ文書の編集画面の一例を示す。図８の例では、一つの画面が複数に分割されており、それぞれの領域において、処理対象となるＸＭＬ文書を異なる複数の表示形式により表示している。領域９４には、文書のソースが表示されており、領域９５には、文書のツリー構造が表示されており、領域９６には、図５に示したＨＴＭＬにより記述された表が表示されている。これらのいずれの画面上においても、文書の編集が可能であり、いずれかの画面上でユーザが編集を行うと、ソースツリーが変更され、それぞれの画面の表示を担当するプラグインが、ソースツリーの変更を反映すべく画面を更新する。具体的には、ソースツリーの変更を通知するミューテーションイベントのリスナーとして、それぞれの編集画面の表示を担当するプラグインの表示部を登録しておき、いずれかのプラグイン又はＶＣユニット８０によりソースツリーが変更されたときに、編集画面を表示中の全ての表示部が、発行されたミューテーションイベントを受け取って画面を更新する。このとき、プラグインがＶＣ機能により表示を行っている場合は、ＶＣユニット８０がソースツリーの変更に追従してデスティネーションツリーを変更した後、変更されたデスティネーションツリーを参照してプラグインの表示部が画面を更新する。【００３８】
例えば、ソース表示及びツリー表示を、専用のプラグインにより実現している場合は、ソース表示用プラグインとツリー表示用プラグインは、デスティネーションツリーを用いず、直接ソースツリーを参照して表示を行う。この場合、いずれかの画面において編集が行われると、ソース表示用プラグインとツリー表示用プラグインは、変更されたソースツリーを参照して画面を更新し、領域９６の画面を担当しているＨＴＭＬユニット５０は、ソースツリーの変更に追従して変更されたデスティネーションツリーを参照して画面を更新する。【００３９】
ソース表示及びツリー表示は、ＶＣ機能を利用して実現することもできる。すなわち、ソース、ツリー構造をＨＴＭＬによりレイアウトし、そのＨＴＭＬにＸＭＬ文書をマッピングして、ＨＴＭＬユニット５０により表示してもよい。この場合、ソース形式、ツリー形式、表形式の３つのデスティネーションツリーが生成されることになる。いずれかの画面において編集が行われると、ＶＣユニット８０は、ソースツリーを変更した後、ソース形式、ツリー形式、表形式の３つのデスティネーションツリーをそれぞれ変更し、ＨＴＭＬユニット５０は、それらのデスティネーションツリーを参照して、３つの画面を更新する。【００４０】
このように、一つの画面上に複数の表示形式で文書を表示することにより、ユーザの利便性を向上させることができる。例えば、ユーザは、ソース表示又はツリー表示により文書の階層構造を把握しつつ、表９０などを用いて視覚的に分かりやすい形式で文書を表示し、編集することができる。上記の例では、一つの画面を分割して複数の表示形式による画面を同時に表示したが、一つの画面に一つの表示形式による画面を表示し、表示形式をユーザの指示により切り替え可能としてもよい。この場合、主制御ユニット２２が、ユーザから表示形式の切り替え要求を受け付け、各プラグインに指示して表示を切り替える。【００４１】
図９は、文書処理装置２０により編集されるＸＭＬ文書の他の例を示す。図９に示したＸＭＬ文書では、ＳＶＧ文書の「foreignObject」タグの中にＸＨＴＭＬ文書が埋め込まれており、さらに、ＸＨＴＭＬ文書の中にＭａｔｈＭＬで記述された数式が入っている。このような場合、編集ユニット２４が、名前空間を参照して、適切な表示系に描画作業を振り分ける。図９の例では、編集ユニット２４は、まず、ＳＶＧユニット６０に四角形を描画させ、つづいて、ＨＴＭＬユニット５０にＸＨＴＭＬ文書を描画させる。さらに、図示しないＭａｔｈＭＬユニットに、数式を描画させる。こうして、複数のボキャブラリを包含する複合文書が適切に表示される。表示結果を図１０に示す。【００４２】
文書編集中、カーソル（キャリッジ）の位置に応じて、表示されるメニューを切り替えてもよい。すなわち、カーソルが、ＳＶＧ文書が表示された領域内に存在するときは、ＳＶＧユニット６０が提供するメニュー、又はＳＶＧ文書をマッピングするための定義ファイルに定義されたコマンドを表示し、カーソルが、ＸＨＴＭＬ文書が表示された領域内に存在するときは、ＨＴＭＬユニット５０が提供するメニュー、又はＸＨＴＭＬ文書をマッピングするための定義ファイルに定義されたコマンドを表示する。これにより、編集位置に応じて適切なユーザインターフェースを提供することができる。【００４３】
複合文書において、あるボキャブラリに対応する適切なプラグイン又はマッピング定義ファイルがなかった場合は、そのボキャブラリにより記述された部分は、ソース表示又はツリー表示されてもよい。従来、ある文書に他の文書を埋め込んだ複合文書を開くとき、埋め込まれた文書を表示するアプリケーションがインストールされていないと、その内容を表示することができなかったが、本前提技術では、表示用のアプリケーションが存在しなくても、テキストデータにより構成されたＸＭＬ文書をソース表示又はツリー表示することにより内容を把握することができる。これは、テキストベースであるＸＭＬなどの文書ならではの特徴といえる。【００４４】
データがテキストベースで記述されることの他の利点として、例えば、複合文書中の、あるボキャブラリにより記述される部分において、同一文書内の他のボキャブラリで記述された部分のデータを参照してもよい。また、文書内で検索を実行する時に、ＳＶＧなどの図に埋め込まれた文字列も検索対象とすることができる。【００４５】
あるボキャブラリにより記述された文書内に、他のボキャブラリのタグを用いてもよい。このＸＭＬ文書は、妥当（valid）ではないが、整形式（well-formed）であれば、有効なＸＭＬ文書として処理可能である。この場合、挿入された他のボキャブラリのタグは、定義ファイルによりマッピングされてもよい。例えば、ＸＨＴＭＬ文書中に、「重要」、「最重要」などのタグを使用し、これらのタグで囲まれた部分を強調表示してもよいし、重要度の順にソートして表示してもよい。【００４６】
図１０に示した編集画面において、ユーザにより文書が編集されると、編集された部分を担当するプラグイン又はＶＣユニット８０がソースツリーを変更する。ソースツリーには、ノードごとにミューテーションイベントのリスナーを登録できるようになっており、通常は、各ノードが属するボキャブラリに対応したプラグインの表示部又はＶＣユニット８０がリスナーとして登録される。ＤＯＭ提供部３２は、ソースツリーが変更されると、変更されたノードから上位の階層へたどって、登録されたリスナーがあれば、そのリスナーへミューテーションイベントを発行する。例えば、図９に示した文書において、＜ｈｔｍｌ＞ノードの下位のノードが変更された場合、＜ｈｔｍｌ＞ノードにリスナーとして登録されたＨＴＭＬユニット５０にミューテーションイベントが通知されるとともに、その上位の＜ｓｖｇ＞ノードにリスナーとして登録されたＳＶＧユニット６０にもミューテーションイベントが通知される。このとき、ＨＴＭＬユニット５０は、変更されたソースツリーを参照して表示を更新する。ＳＶＧユニット６０は、自身のボキャブラリに属するノードが変更されていないので、ミューテーションイベントを無視してもよい。【００４７】
編集の内容によっては、ＨＴＭＬユニット５０による表示の更新に伴って、全体のレイアウトが変わる可能性がある。この場合は、画面のレイアウトを管理する構成、例えば最上位のノードの表示を担当するプラグインにより、プラグインごとの表示領域のレイアウトが更新される。例えば、ＨＴＭＬユニット５０による表示領域が以前より大きくなった場合、ＨＴＭＬユニット５０は、まず自身の担当する部分を描画して、表示領域の大きさを決定する。そして、画面のレイアウトを管理する構成に、変更後の表示領域の大きさを通知し、レイアウトの更新を依頼する。画面のレイアウトを管理する構成は、通知を受けて、プラグインごとの表示領域を再レイアウトする。こうして、編集された部分の表示が適切に更新されるとともに、画面全体のレイアウトが更新される。【００４８】
（実施の形態）
実施の形態では、ユーザが、ＸＭＬデータにより提供されるウェブサービスを１つのウェブページに統合して表示させることを可能とするために、前提技術の文書処理装置２０を利用して、ＸＭＬデータをＨＴＭＬデータに変換して提供する技術を提案する。このとき、ユーザがインタラクティブにＸＭＬデータにアクセスすることを可能とするために、Ａｊａｘを利用する。【００４９】
図１１は、実施の形態に係るデータ処理サーバ１００の構成を示す図である。データ処理サーバ１００は、前提技術で説明した文書処理装置２０の構成に加えて、ユーザ認証部７１、ＸＭＬデータ取得部７２、ユーザデータベース７３、送信部７４、モジュール生成部７５、ＨＴＭＬデータ変換部７６、処理要求受付部７７、処理要求変換部７８を備える。図１１の例では、データ処理サーバ１００は、インターネット２９を介してウェブサーバ２５から提供されるウェブサービスのＸＭＬデータを、ユーザ端末が閲覧可能なＨＴＭＬデータに変換して提供するミドル層のサーバとして機能する。【００５０】
ユーザ認証部７１は、ユーザ端末２６のユーザを認証する。ユーザ認証部７１は、本実施の形態のデータ処理サーバ１００によるサービスの提供を希望するユーザから登録の要求を受け付け、ユーザデータベース７３にユーザを認証するためのユーザＩＤとパスワードなどの情報を登録する。そして、ユーザ端末２６からサービスの提供の要求を受け付けると、ユーザからユーザＩＤとパスワードなどを受け付けて、ユーザデータベース７３に登録されているユーザであるか否かを認証する。ユーザ認証部７１は、ユーザから、ウェブページに表示すべきコンテンツを構成するＸＭＬデータの登録の要求を受け付け、受け付けたＸＭＬデータ、又はＸＭＬデータのアドレスなどをユーザデータベース７３に登録する。【００５１】
ＸＭＬデータ取得部７２は、ウェブサーバ２５により提供されるＸＭＬデータを取得する。ＸＭＬデータ取得部７２は、ユーザデータベース７３を参照して、認証されたユーザが登録しているＸＭＬデータのアドレスを取得し、そのアドレスをもとにウェブサーバ２５にＸＭＬデータの取得を要求する。取得されたＸＭＬデータは、文書処理装置２０へ送られる。文書処理装置２０は、ＤＯＭ生成部３４によりソースＤＯＭを生成し、ＸＭＬデータをＤＯＭとして管理する。【００５２】
ＨＴＭＬデータ変換部７６は、ＸＭＬデータ取得部７２が取得したＸＭＬデータをＨＴＭＬデータに変換する。ＨＴＭＬデータ変換部７６は、ＸＭＬデータのタグセット（ボキャブラリ）ごとにＸＳＬＴ又は前提技術の定義ファイルを保持しており、それにしたがって取得したＸＭＬデータをＨＴＭＬデータに変換する。【００５３】
モジュール生成部７５は、ＸＭＬデータに対する処理の要求を、ＨＴＭＬデータに対する処理の要求として受け付けるためのモジュールを生成する。このモジュールは、例えば、Ｊａｖａ（登録商標）Ｓｃｒｉｐｔで記述されてもよく、Ｊａｖａ（登録商標）Ｓｃｒｉｐｔで記述されたイベントハンドラがユーザのアクションを検出し、Ｊａｖａ（登録商標）Ｓｃｒｉｐｔの組み込みクラスであるＸＭＬＨｔｔｐＲｅｑｕｅｓｔを利用した非同期通信によりＸＭＬデータに対する処理を要求するものであってもよい。モジュール生成部７５は、ウェブサーバ２５により提供されるＸＭＬデータごとに、そのＸＭＬデータを処理するためのモジュールを予め用意して保持してもよい。また、タグセットごとに、そのタグセットで記述されたＸＭＬデータを処理するためのモジュールを予め用意して保持してもよい。モジュール生成部７５は、汎用的に用いられるモジュール、例えば、ウェブページに新たなコンテンツを追加する処理を要求するためのボタンや、後述する処理系のダウンロードを要求するためのボタンなどを予め用意して保持してもよい。【００５４】
送信部７４は、モジュール生成部７５により生成されたモジュールを、ＨＴＭＬデータ変換部７６により変換されたＨＴＭＬデータに付加して、ウェブページを記述したＨＴＭＬファイルを生成し、ユーザ端末２６に送信する。【００５５】
ユーザ端末２６は、ウェブブラウザにより、受信したＨＴＭＬファイルを表示し、ウェブページをユーザに提示する。ユーザは、ＨＴＭＬファイルに付加されたモジュールを利用して、データ処理サーバ１００へデータの処理要求を発することができる。ユーザ端末２６のブラウザは、例えば、Ａｊａｘエンジンの機能を有しており、ユーザのアクションをイベントとして検出し、記述された処理要求をデータ処理サーバ１００に対して非同期的に発行する。【００５６】
処理要求受付部７７は、ユーザ端末２６から発せられた処理要求を受け付ける。処理要求変換部７８は、受け付けた処理要求を、文書処理装置２０が解釈して実行することが可能な命令に置換して、文書処理装置２０へ通知する。文書処理装置２０は、通知された命令にしたがって、ソースＤＯＭの変更など、必要な処理を実行する。【００５７】
ソースＤＯＭが変更され、ウェブページの表示を更新する必要がある場合は、ＨＴＭＬデータ変換部７６は、変更されたＸＭＬデータをＨＴＭＬデータに変換し、送信部７４は、変換されたＨＴＭＬデータをユーザ端末２６へ送信する。ＸＭＬＨｔｔｐＲｅｑｕｅｓｔは、ＸＭＬデータの通信が可能であるので、ユーザ端末２６がＸＭＬデータを扱うことが可能である場合は、ＸＭＬデータをそのままユーザ端末２６へ送信してもよい。【００５８】
定義データ生成部７９は、ユーザ端末２６から、ＸＭＬデータをコンテンツとして含むウェブページをローカルで編集する旨の要求を受け付けると、ウェブページを文書処理装置２０で編集するための定義データを生成する。定義データ生成部７９は、前提技術として説明したように、ＸＭＬデータを、文書処理装置２０に含まれる、特定のタグセットで記述されたＸＭＬデータを処理する処理系、例えば、ＨＴＭＬユニット５０又はＳＶＧユニット６０で処理可能なタグセットにマッピングする規則を記述した定義データを生成する。生成された定義データは、送信部７４によりユーザ端末２６へ送信される。ユーザ端末２６に文書処理装置２０の各機能がインストールされていない場合は、送信部７４は、文書処理装置２０を実現するためのプログラムをユーザ端末２６にダウンロードする。【００５９】
図１２は、ユーザ認証部７１により認証されたユーザのユーザ端末２６のブラウザに表示される画面９９の例を示す。このユーザは、まだウェブページのコンテンツを登録していないので、登録ボタン９７ａをクリックすることにより、コンテンツを登録する。ユーザ認証部７１は、コンテンツの登録要求を受け付けると、コンテンツのＸＭＬデータのアドレスをユーザデータベース７３に登録する。【００６０】
図１３は、複数のコンテンツを含むウェブページを表示した画面９９の例を示す。ウェブページには、ニュースサイトのＲＳＳ９８ａと、天気予報サイトのＲＳＳ９８ｂと、検索エンジンのインタフェース９８ｃがコンテンツとして登録されている。ＸＭＬデータ取得部７２は、ユーザデータベース７３を参照して、これらのコンテンツのデータをウェブサーバ２５から取得し、文書処理装置２０へ送る。文書処理装置２０では、取得したＸＭＬデータをＤＯＭとして管理するが、ユーザ端末２６の通常のウェブブラウザでウェブページを閲覧することを可能とするために、ＨＴＭＬデータ変換部７６によりＸＭＬデータをＨＴＭＬデータに変換し、さらに、ユーザがＸＭＬデータを加工したり編集したりすることを可能とするために、モジュール生成部７５によりＸＭＬデータに対する処理の要求を受け付けるためのモジュールを生成する。送信部７４は、変換されたＨＴＭＬデータに、生成されたモジュールを付加してウェブページを生成し、ユーザ端末２６へ送信する。ユーザ端末２６は、受信したウェブページを画面９９に表示する。【００６１】
ウェブページに付加されたモジュールは、例えば、コンテンツを追加するための追加ボタン９７ｂ、編集環境をダウンロードするためのダウンロードボタン９７ｃを画面９９に設ける。また、ニューサイトのＲＳＳ９８ａなどのコンテンツを編集する要求を受け付ける。【００６２】
図１４は、ウェブページを編集した画面９９の例を示す。ニュースサイトのＲＳＳ９８ａを処理するためのモジュールは、記事のタイトルなどの文字列を変更するだけでなく、アノテーションを付ける処理を受け付ける。ユーザが、例えば、「国会予算案可決」という文字列を選択して、アノテーションを付ける処理を要求すると、ＲＳＳ９８ａを編集するためのモジュールが、データ処理サーバ１００に処理要求を送信する。データ処理サーバ１００の処理要求受付部７７がこの処理要求を受け付けると、処理要求変換部７８が、該当する文字列に、アノテーション用のタグを付ける命令に変換して文書処理装置２０へ通知する。文書処理装置２０は、アノテーション用の新たな要素を追加し、該当する文字列をその要素の要素値とする。ＨＴＭＬデータ変換部７６は、新たに追加された要素を、ＨＴＭＬの<B><U>タグに変換する。送信部７４は、ウェブページ全体を再送信するのではなく、変更されたＨＴＭＬのみをユーザ端末２６へ送信する。ユーザ端末２６は、受信したＨＴＭＬデータを用いて、編集された部分を再表示する。これにより、「国会予算案可決」という文字列が、太字かつ下線を付して表示される。【００６３】
図１５は、ウェブページの一部が更新された画面９９の例を示す。天気予報サイトのＲＳＳ９８ｂを処理するためのモジュールは、ウェブサーバ２５により提供されるＲＳＳの更新を画面に反映させるために、定期的に更新の有無を問い合わせる処理要求をデータ処理サーバ１００に送信する。データ処理サーバ１００の処理要求受付部７７がこの処理要求を受け付けると、処理要求変換部７８が、天気予報サイトのＲＳＳを再取得するよう文書処理装置２０へ通知する。文書処理装置２０は、ＸＭＬデータ取得部７２によりウェブサーバ２５からニュースサイトのＲＳＳを再取得し、変更されていればソースＤＯＭを更新する。ＨＴＭＬデータ変換部７６は、変更されたＸＭＬデータを、ＨＴＭＬデータに変換する。送信部７４は、変更されたＨＴＭＬデータをユーザ端末２６へ送信する。ユーザ端末２６は、受信したＨＴＭＬデータを用いて、更新された部分を再表示する。これにより、天気予報サイトのＲＳＳ９８ｂが自動的に更新される。【００６４】
前提技術で説明したように、文書処理装置２０は、任意のタグセットで記述されたＸＭＬデータを、ＤＯＭとして統合的に管理するので、ウェブページに複数のウェブサービスを統合させ、複数のタグセットが含まれるような場合であっても、適切にＸＭＬデータを処理することができる。【００６５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【産業上の利用可能性】
【００６６】
本発明は、ＸＭＬデータをＨＴＭＬデータに変換して提供するデータ処理サーバに利用可能である。
【図１】
2007132568.tif 000003
【図２】
2007132568.tif 000004
【図３】
2007132568.tif 000005
【図４（ａ）】
2007132568.tif 000006
【図４（ｂ）】
2007132568.tif 000007
【図５】
2007132568.tif 000008
【図６】
2007132568.tif 000009
【図７】
2007132568.tif 000010
【図８】
2007132568.tif 000011
【図９】
2007132568.tif 000012
【図１０】
2007132568.tif 000013
【図１１】
2007132568.tif 000014
【図１２】
2007132568.tif 000015
【図１３】
2007132568.tif 000016
【図１４】
2007132568.tif 000017
【図１５】
2007132568.tif 000018
【国際調査報告】
2007132568.tif 000019
2007132568.tif 000020
2007132568.tif 000021
2007132568.tif 000022
2007132568.tif 000023
2007132568.tif 000024